(57)【要約】【課題】光ピックアップユニットのプリント配線基板のコネクタとメイン・プリント配線基板のコネクタとを接続するＦＦＣの折り曲げ部の折り曲げ角度を最適に設定して両コネクタ間での信号の歪を低減できる光ディスク装置を提供する。【解決手段】ＦＦＣ３は、光ピックアップユニットのプリント配線基板４がディスク半径方向に移動可能になるように側面から見て略Ｓ字状に形成され、一方端３１が光ピックアップユニットのプリント配線基板４のコネクタ６に接続された可動ライン部３ａと、一方端が可動ライン部３ａの他方端に接続され、他方端３２がメイン・プリント配線基板２のコネクタ７に接続された固定ライン部３ｂとを有し、固定ライン部３ｂに形成された折り曲げ部Ｒ１，Ｒ２は、伝送線路の特性インピーダンスの変化を低減させることができるように折り曲げ角度を例えば４５度に設定され、装置内の所定箇所に配線されている。【選択図】図１
2009104696.tif 000002
【特許請求の範囲】
【請求項１】
光ピックアップユニットのプリント配線基板のコネクタとメイン・プリント配線基板のコネクタとがフラットフレキシブルケーブルによって接続された構成を有し、光ディスクに対して情報の再生または記録／再生を行う光ディスク装置において、
前記フラットフレキシブルケーブルは、
前記光ピックアップユニットのプリント配線基板が前記光ディスクの半径方向に移動可能になるように側面から見て略Ｓ字状に形成され、前記略Ｓ字状のケーブルの一方端が前記光ピックアップユニットのプリント配線基板のコネクタに接続された可動ライン部と、
一方端が前記可動ライン部の他方端に接続され、他方端が前記メイン・プリント配線基板のコネクタに接続された固定ライン部とを有し、
前記固定ライン部の一方端と他方端との間で折り曲げ部を形成する場合、前記折り曲げ部での伝送線路の特性インピーダンスの変化を低減させることができるように前記折り曲げ部の折り曲げ角度を最適に設定して前記固定ライン部を装置内の所定箇所に配線したことを特徴とする光ディスク装置。
【請求項２】
前記折り曲げ部の折り曲げ角度を４５度以下に設定したことを特徴とする請求項１に記載の光ディスク装置。
【請求項３】
前記折り曲げ部を前記固定ライン部の一方端と他方端との間で少なくとも２個形成したことを特徴とする請求項１または請求項２に記載の光ディスク装置。
【発明の詳細な説明】
【技術分野】
【０００１】
本発明は、光ピックアップユニットのプリント配線基板のコネクタとメイン・プリント配線基板のコネクタとがフラットフレキシブルケーブルによって接続された構成を有し、光ディスクに対して情報の再生または記録／再生を行う光ディスク装置に関し、特に、フラットフレキシブルケーブルの配線時の折り曲げ角度に関する。
【背景技術】
【０００２】
図５は従来の光ディスク装置においてローダー部に備えられる光ピックアップユニットのプリント配線基板とメイン・プリント配線基板とを接続するＦＦＣ（フラットフレキシブルケーブル）の配線状態を説明するための簡略化した基板レイアウト図である。また、図６は前記従来の光ディスク装置においてローダー部に備えられる光ピックアップユニットのプリント配線基板とメイン・プリント配線基板とを接続するＦＦＣの可動ライン部を除く固定ライン部の配線状態を説明するための簡略化した基板レイアウト図である。また、図７は光ピックアップユニットのプリント配線基板およびＦＦＣの可動ライン部を横から見た状態を説明するための簡略化した構成図である。
【０００３】
図５および図６において、光ディスク装置Ｂにおけるローダー部１内の光ピックアップユニットのプリント配線基板４のコネクタ６は、複数の信号線を有するＦＦＣ３を介してメイン・プリント配線基板２のコネクタ７に接続されている。図５、図６、および図７において、ローダー部１には、図示しない光ピックアップを搭載した光ピックアップユニットのプリント配線基板４が設けられ、この光ピックアップユニットのプリント配線基板４は、図示しないスレッド機構によりガイドレール５に沿って図から見て上下方向（ディスク半径方向）に移動するように構成されている。光ピックアップユニットのプリント配線基板４のコネクタ６には、ＦＦＣ３の一方端３１が接続されている。ＦＦＣ３の他方端３２は、メイン・プリント配線基板２のコネクタ７に接続されている。
【０００４】
図５および図７に示すＦＦＣ３において、ａはＦＦＣ３の略Ｓ字形状の可動ライン部３ａの一方端３１側の一点を示し、ｂはＦＦＣ３の可動ライン部３ａの曲がり部の一点、ｃはＦＦＣ３の可動ライン部３ａと固定ライン部３ｂとの境目の一点を示す。
【０００５】
図６に示すＦＦＣ３の固定ライン部３ｂにおいて、点ｍ１と点ｅ１間の辺に沿って、図から見て上方に９０度折り曲げられ、また、点ｉと点ｊ間の辺に沿って、図から見て下方に９０度折り曲げられ、更に、点ｆ１と点ｈ１間の辺に沿って、図から見て右方に９０度折り曲げられ、これらの折り曲げ部Ｌ１，Ｌ２，Ｌ３を含みＦＦＣ３の固定ライン部３ｂが光ディスク装置Ｂ内の所定箇所に配線されている。なお、図６では、ＦＦＣ３の固定ライン部３ｂの形状を分かり易くするために、ＦＦＣ３の可動ライン部の図示を省略している。
【特許文献１】Ｗ０２００２／０８４６６５号公報
【特許文献２】特開２００２−３２１４２４号公報
【特許文献３】特開２００３−９１９４３号公報
【発明の開示】
【発明が解決しようとする課題】
【０００６】
しかしながら、この従来の光ディスク装置Ｂにおいては、ＦＦＣ３の固定ライン部３ｂの折り曲げ部ｌ１，ｌ２，ｌ３の折り曲げ角度が９０度に設定されているため、次のような課題が生じる。
【０００７】
図８は従来の光ディスク装置においてＦＦＣにおける固定ライン部の折り曲げ部の折り曲げ角度が９０度に設定された場合の信号の流れを説明するためのＦＦＣにおける固定ライン部の折り曲げ部を含むＦＦＣの一部を示す図である。
【０００８】
図８に示すように、ＦＦＣ３の固定ライン部３ｂにおいて、或る１本の信号線に信号Ｓ１が流れると、折り曲げ部Ｌで反射し、結果的に９０度向きを変えて流れるが、この場合、折り曲げ部Ｌにおける伝送線路のパターンの変化により、伝送線路の特性インピーダンスが大きく変化する。即ち、折り曲げ部Ｌの折り曲げ角度が９０度であると、折り曲げ部Ｌで信号Ｓ１に対し反射が生じてクロストークが生じ、これにより、信号Ｓ１の波形の歪が大きくなり、信号Ｓ１を入力したメイン・プリント配線基板２に実装された制御回路の制御精度が低下し、制御の安定性が低下すると言う課題が生じる。また、その他の信号Ｓ２などについても同様な課題が生じる。
【０００９】
図９は、９０度の折り曲げ部を有するＦＦＣに入力される信号の周波数と、ＦＦＣに入力されＦＦＣから出力される信号のゲインとの関係を示すグラフである。ここでは、ＦＦＣに折り曲げ部が一つ設けられているとする。
【００１０】
図９において、横軸は、９０度の折り曲げ部を有するＦＦＣに入力される信号の周波数（光ピックアップユニットのプリント配線基板から出力される信号の周波数）を示し、縦軸は、ＦＦＣに入力されＦＦＣから出力される信号のゲインのレベル（ｄＢ）を示す。Ｇ１は、９０度の折り曲げ部を有するＦＦＣに入力される信号の周波数（光ピックアップユニットのプリント配線基板から出力される信号の周波数）に対して、その信号が９０度の折り曲げ部を有するＦＦＣを介してＦＦＣから出力される信号のゲインの変化を示すラインである。
【００１１】
このラインＧ１によれば、光ピックアップユニットのプリント配線基板から出力される信号の周波数が低い範囲（０Ｈｚ〜１０ＭＨｚ位）では、その出力信号が９０度の折り曲げ部を有するＦＦＣを介してメイン・プリント配線基板に到達したときのゲインは殆ど変化していないことを示す。即ち、光ピックアップユニットのプリント配線基板から出力される信号の周波数が低い範囲（０Ｈｚ〜１０ＭＨｚ位）では、ＦＦＣの折り曲げ部の折り曲げ角度が９０度であっても、その信号は、折り曲げ部で反射が殆ど生じずに流れることが推測できる。
【００１２】
ところが、光ピックアップユニットのプリント配線基板から出力される信号の周波数が比較的に高い範囲（２０ＭＨｚ位〜８０ＭＨｚ位）では、その信号はＦＦＣにおける折り曲げ角度が９０度である折り曲げ部で反射が多く生じ、メイン・プリント配線基板に到達したときの信号のゲインは、大きく変化することが分かる。即ち、特性インピーダンスに不連続点（大きく変化する点）がある場合、信号のゲインは高周波の方が影響を受け易く、周波数（２０ＭＨｚ位〜８０ＭＨｚ位）では、ＦＦＣの折り曲げ部の折り曲げ角度が９０度であるため、その信号は、折り曲げ部で反射が多く生じて、波形の歪が多くなることが推測できる。
【００１３】
更に、光ピックアップユニットのプリント配線基板から出力される信号の周波数が高い範囲（９０ＭＨｚ位以上）では、その信号はＦＦＣにおける折り曲げ角度が９０度である折り曲げ部で反射が更に多く生じ、また、高い周波数ではノイズにも影響され易く、これにより、メイン・プリント配線基板に到達したときの信号のゲインは、変化が多くなり、かなり低下することが分かる。即ち、光ピックアップユニットのプリント配線基板から出力される信号の周波数が高い範囲（９０ＭＨｚ位以上）では、ＦＦＣの折り曲げ部の折り曲げ角度が９０度であるため、その信号は、折り曲げ部で反射が更に多く生じて、また、高い周波数ではノイズにも影響され易く、波形の歪が更に多くなることが推測できる。
【００１４】
要するに、従来の光ディスク装置Ｂにおいては、光ピックアップユニットのプリント配線基板４のコネクタ６とメイン・プリント配線基板２のコネクタ７とを接続するＦＦＣ３の折り曲げ部Ｌ１，Ｌ２，Ｌ３の折り曲げ角度を９０度に設定したので、光ピックアップユニットのプリント配線基板４のコネクタ６から出力された信号が９０度の折り曲げ部Ｌ１，Ｌ２，Ｌ３を有するＦＦＣ３を介してメイン・プリント配線基板２のコネクタ７に到達したとき、前述したような原因により、信号の波形に歪が生じるので、メイン・プリント配線基板２に実装された制御回路の制御精度が低下し、制御の安定性が低下すると言う課題があった。
【００１５】
なお、特許文献１の従来技術は、ディスク駆動装置のトレー側接続部と本体シャーシ側の本体側接続部とを平坦な帯状接続線を使用して電気的に接続した構成を有するものであるが、光ピックアップユニットのプリント配線基板のコネクタとメイン・プリント配線基板のコネクタとを接続するフラットフレキシブルケーブルの折り曲げ部の折り曲げ角度を最適にすることについては開示されていなく、また、光ピックアップユニットのプリント配線基板のコネクタとメイン・プリント配線基板のコネクタとの間の信号の波形の歪を少なくする対策についても開示されていない。
【００１６】
特許文献２の従来技術は、フレキシブル配線基板の折り曲げ部をいちいち後からテープなどで止めなくても良いフレキシブル配線基板について開示されているが、この従来技術も、光ピックアップユニットのプリント配線基板のコネクタとメイン・プリント配線基板のコネクタとを接続するフラットフレキシブルケーブルの折り曲げ部の折り曲げ角度を最適にすることについては開示されていなく、また、光ピックアップユニットのプリント配線基板のコネクタとメイン・プリント配線基板のコネクタとの間の信号の波形の歪を少なくする対策についても開示されていない。
【００１７】
特許文献３の従来技術は、配線パターンの増加に伴う負荷を軽減するように構成されているが、この従来技術も、光ピックアップユニットのプリント配線基板のコネクタとメイン・プリント配線基板のコネクタとを接続するフラットフレキシブルケーブルの折り曲げ部の折り曲げ角度を最適にすることについては開示されていなく、また、光ピックアップユニットのプリント配線基板のコネクタとメイン・プリント配線基板のコネクタとの間の信号の波形の歪を少なくする対策についても開示されていない。
【００１８】
本発明は、上記のような課題を解決するためになされたもので、光ピックアップユニットのプリント配線基板のコネクタとメイン・プリント配線基板のコネクタとを接続するフラットフレキシブルケーブルの折り曲げ部の折り曲げ角度を最適に設定して、光ピックアップユニットのプリント配線基板のコネクタとメイン・プリント配線基板のコネクタとの間の信号の波形の歪を低減させることが可能なフラットフレキシブルケーブルを有する光ディスク装置を提供することを目的とする。
【課題を解決するための手段】
【００１９】
上記目的を達成するために、請求項１の発明は、光ピックアップユニットのプリント配線基板のコネクタとメイン・プリント配線基板のコネクタとがフラットフレキシブルケーブルによって接続された構成を有し、光ディスクに対して情報の再生または記録／再生を行う光ディスク装置において、前記フラットフレキシブルケーブルは、前記光ピックアップユニットのプリント配線基板が前記光ディスクの半径方向に移動可能になるように側面から見て略Ｓ字状に形成され、前記略Ｓ字状のケーブルの一方端が前記光ピックアップユニットのプリント配線基板のコネクタに接続された可動ライン部と、一方端が前記可動ライン部の他方端に接続され、他方端が前記メイン・プリント配線基板のコネクタに接続された固定ライン部とを有し、前記固定ライン部の一方端と他方端との間で折り曲げ部を形成する場合、前記折り曲げ部での伝送線路の特性インピーダンスの変化を低減させることができるように前記折り曲げ部の折り曲げ角度を最適に設定して前記固定ライン部を装置内の所定箇所に配線したことを特徴とする光ディスク装置を提供する。
【００２０】
この構成において、フラットフレキシブルケーブルの可動ライン部は、光ピックアップユニットのプリント配線基板が光ディスクの半径方向に移動すると、略Ｓ字状の部分が変形して、そのプリント配線基板に追従する。フラットフレキシブルケーブルの固定ライン部は、折り曲げ部を有し、可動ライン部とメイン・プリント配線基板とを接続する。前記折り曲げ部は、伝送線路の特性インピーダンスの変化を低減させることができるような折り曲げ角度に設定されるので、折り曲げ部であっても、信号の反射量が少なくなり、信号の波形の歪を低減させることができる。
【００２１】
この構成によれば、光ピックアップユニットのプリント配線基板のコネクタとメイン・プリント配線基板のコネクタとを接続するフラットフレキシブルケーブルの折り曲げ部の折り曲げ角度を最適に設定して、光ピックアップユニットのプリント配線基板のコネクタとメイン・プリント配線基板のコネクタとの間の信号の波形の歪を低減させることが可能なフラットフレキシブルケーブルを有する光ディスク装置を提供することができ、これにより、メイン・プリント配線基板に実装された制御回路の制御の精度を向上させ、制御の安定性を増やすことができる。したがって、信頼性の高い光ディスク装置を提供することができる。
【００２２】
請求項２の発明では、請求項１の発明において、前記折り曲げ部の折り曲げ角度を４５度以下に設定したので、折り曲げ部に入力される信号は反射量が少なくなり、信号の波形の歪も減少する。
【００２３】
請求項３の発明では、請求項１または請求項２の発明において、前記折り曲げ部を前記固定ライン部の一方端と他方端との間で少なくとも２個形成したので、光ピックアップユニットのプリント配線基板を含むローダー部の横側にメイン・プリント配線基板が配置された場合でも、光ピックアップユニットのプリント配線基板のコネクタとメイン・プリント配線基板のコネクタとを接続することが可能になる。
【発明の効果】
【００２４】
以上のように本発明によれば、光ピックアップユニットのプリント配線基板のコネクタとメイン・プリント配線基板のコネクタとを接続するフラットフレキシブルケーブルの折り曲げ部の折り曲げ角度を最適に設定して、光ピックアップユニットのプリント配線基板のコネクタとメイン・プリント配線基板のコネクタとの間の信号の波形の歪を低減させることが可能なフラットフレキシブルケーブルを有する光ディスク装置を提供することができ、これにより、メイン・プリント配線基板に実装された制御回路の制御の精度を向上させ、制御の安定性を増やすことができる。したがって、信頼性の高い光ディスク装置を提供することができる。
【発明を実施するための最良の形態】
【００２５】
以下、添付図面を参照しつつ、本発明の実施の形態について説明する。図１は本発明の一実施形態に係る光ディスク装置においてローダー部に備えられる光ピックアップユニットのプリント配線基板とメイン・プリント配線基板とを接続するＦＦＣ（フラットフレキシブルケーブル）の配線状態を説明するための簡略化した基板レイアウト図である。また、図２は本実施形態の光ディスク装置においてローダー部に備えられる光ピックアップユニットのプリント配線基板とメイン・プリント配線基板とを接続するＦＦＣの可動ライン部を除く固定ライン部の配線状態を説明するための簡略化した基板レイアウト図である。また、図７は光ピックアップユニットのプリント配線基板およびＦＦＣの可動ライン部を横から見た状態を説明するための簡略化した構成図である。なお、本実施形態では、ＦＦＣの折り曲げ角度を４５度に設定したものを示すが、これに限らず、４５度以下であれば、同様な効果を得ることができる。
【００２６】
図１および図２において、光ディスク装置Ａにおけるローダー部１内の光ピックアップユニットのプリント配線基板４のコネクタ６は、複数の信号線を有するＦＦＣ３を介してメイン・プリント配線基板２のコネクタ７に接続されている。図１、図２、および図７において、ローダー部１には、図示しない光ピックアップを搭載した光ピックアップユニットのプリント配線基板４が設けられ、この光ピックアップユニットのプリント配線基板４は、図示しないスレッド機構によりガイドレール５に沿って図から見て上下方向（ディスク半径方向）に移動するように構成されている。光ピックアップユニットのプリント配線基板４のコネクタ６には、ＦＦＣ３の一方端３１が接続されている。ＦＦＣ３の他方端３２は、メイン・プリント配線基板２のコネクタ７に接続されている。
【００２７】
図１および図７に示すＦＦＣ３において、ａはＦＦＣ３の略Ｓ字形状の可動ライン部３ａの一方端３１側の一点を示し、ｂはＦＦＣ３の可動ライン部３ａの曲がり部の一点、ｃはＦＦＣ３の可動ライン部３ａと固定ライン部３ｂとの境目の一点を示す。
【００２８】
図２に示すＦＦＣ３の固定ライン部３ｂにおいて、∠αが４５度になるように、点ｍと点ｅ間の辺に沿って折り曲げられ、また、∠αが４５度になるように、点ｆと点ｈ間の辺に沿って折り曲げられ、これらの折り曲げ部Ｒ１，Ｒ２を含みＦＦＣ３の固定ライン部３ｂが光ディスク装置Ａ内の所定箇所に配線されている。なお、図２では、ＦＦＣ３の固定ライン部３ｂの形状を分かり易くするために、ＦＦＣ３の可動ライン部の図示を省略している。
【００２９】
図３は本実施形態の光ディスク装置においてＦＦＣにおける固定ライン部の折り曲げ部の折り曲げ角度が４５度に設定された場合の信号の流れを説明するためのＦＦＣにおける固定ライン部の折り曲げ部を含むＦＦＣの一部を示す図である。
【００３０】
図３に示すように、ＦＦＣ３の固定ライン部３ｂにおいて、或る１本の信号線に信号Ｓ１が流れると、結果的に４５度向きを変えて流れるが、この場合、折り曲げ部Ｌにおける伝送線路のパターンの急激な変化がなくなり、伝送線路の特性インピーダンスが低減する。即ち、折り曲げ部Ｌの折り曲げ角度が４５度であると、折り曲げ部Ｌで信号Ｓ１に対する反射量が少なくなり、これにより、クロストークが低減して、信号Ｓ１の波形の歪が低減する。したがって、信号Ｓ１（信号Ｓ２についても同様）を入力したメイン・プリント配線基板２に実装された制御回路の制御精度が向上し、制御の安定性が増加する。また、制御精度が向上すると、オーバーシュートなどの対策部品（抵抗、インダクタ、コンデンサ）の抹消も期待できる。
【００３１】
図４は、４５度の折り曲げ部を有するＦＦＣに入力される信号の周波数と、ＦＦＣに入力されＦＦＣから出力される信号のゲインとの関係を示すグラフである。ここでは、ＦＦＣに折り曲げ部が一つ設けられているとする。
【００３２】
図４において、横軸は、４５度の折り曲げ部を有するＦＦＣに入力される信号の周波数（光ピックアップユニットのプリント配線基板から出力される信号の周波数）を示し、縦軸は、ＦＦＣに入力されＦＦＣから出力される信号のゲインのレベル（ｄＢ）を示す。Ｇ２は、４５度の折り曲げ部を有するＦＦＣに入力される信号の周波数（光ピックアップユニットのプリント配線基板から出力される信号の周波数）に対して、その信号が４５度の折り曲げ部を有するＦＦＣを介してＦＦＣから出力される信号のゲインの変化を示すラインである。
【００３３】
このラインＧ２によれば、光ピックアップユニットのプリント配線基板から出力される信号の周波数が低い範囲（０Ｈｚ〜１０ＭＨｚ位）では、その出力信号が４５度の折り曲げ部を有するＦＦＣを介してメイン・プリント配線基板に到達したときのゲインは殆ど変化していないことを示す。即ち、光ピックアップユニットのプリント配線基板から出力される信号の周波数が低い範囲（０Ｈｚ〜１０ＭＨｚ位）では、ＦＦＣの折り曲げ部の折り曲げ角度が４５度であっても、その信号は、折り曲げ部で反射が殆ど生じずに流れることが推測できる。
【００３４】
また、光ピックアップユニットのプリント配線基板から出力される信号の周波数が比較的に高い範囲（２０ＭＨｚ位〜８０ＭＨｚ位）では、その信号はＦＦＣにおける折り曲げ角度が４５度である折り曲げ部で反射が少し生じ、これにより、メイン・プリント配線基板に到達したときの信号のゲインは、少し大きくなることが分かる。即ち、光ピックアップユニットのプリント配線基板から出力される信号の周波数が比較的に高い範囲（２０ＭＨｚ位〜８０ＭＨｚ位）では、ＦＦＣの折り曲げ部の折り曲げ角度が４５度であるため、その信号は、折り曲げ部で反射が少し生じるが、折り曲げ角度が９０度である場合に比べて、波形の歪が少なくなることが推測できる。
【００３５】
更に、光ピックアップユニットのプリント配線基板から出力される信号の周波数が高い範囲（９０ＭＨｚ位以上）では、その信号はＦＦＣにおける折り曲げ角度が４５度である折り曲げ部で反射が生じるが、折り曲げ角度が９０度である場合に比べて、反射量が少ないため、メイン・プリント配線基板に到達したときの信号のゲインは、さほど低下しないことが分かる。即ち、光ピックアップユニットのプリント配線基板から出力される信号の周波数が高い範囲（９０ＭＨｚ位以上）でも、ＦＦＣの折り曲げ部の折り曲げ角度が４５度であるため、その信号は波形の歪が少なくなることが推測できる。
【００３６】
以上説明したように本実施形態によれば、光ピックアップユニットのプリント配線基板４のコネクタ６とメイン・プリント配線基板２のコネクタ７とを接続するフラットフレキシブルケーブル３の折り曲げ部Ｒ１，Ｒ２の折り曲げ角度を４５度に設定して、光ピックアップユニットのプリント配線基板４のコネクタ６とメイン・プリント配線基板２のコネクタ７との間の信号の波形の歪を低減させることが可能なフラットフレキシブルケーブル３を有する光ディスク装置Ａを提供することができ、これにより、メイン・プリント配線基板２に実装された制御回路の制御の精度を向上させ、制御の安定性を増やすことができる。したがって、信頼性の高い光ディスク装置Ａを提供することができる。
【産業上の利用可能性】
【００３７】
本発明は、ＤＶＤプレイヤ、ＤＶＤレコーダ、ＢＤプレイヤ、ＢＤレコーダなどの光ディスク装置において、光ピックアップユニットのプリント配線基板のコネクタとメイン・プリント配線基板のコネクタとを接続するフラットフレキシブルケーブルに利用可能である。
【図面の簡単な説明】
【００３８】
【図１】本発明の一実施形態に係る光ディスク装置においてローダー部に備えられる光ピックアップユニットのプリント配線基板とメイン・プリント配線基板とを接続するＦＦＣの配線状態を説明するための簡略化した基板レイアウト図である。
【図２】前記実施形態の光ディスク装置においてローダー部に備えられる光ピックアップユニットのプリント配線基板とメイン・プリント配線基板とを接続するＦＦＣの可動ライン部を除く固定ライン部の配線状態を説明するための簡略化した基板レイアウト図である。
【図３】前記実施形態の光ディスク装置においてＦＦＣにおける固定ライン部の折り曲げ部の折り曲げ角度が４５度に設定された場合の信号の流れを説明するためのＦＦＣにおける固定ライン部の折り曲げ部を含むＦＦＣの一部を示す図である。
【図４】４５度の折り曲げ部を有するＦＦＣに入力される信号の周波数と、ＦＦＣに入力されＦＦＣから出力される信号のゲインとの関係を示すグラフである。
【図５】従来の光ディスク装置においてローダー部に備えられる光ピックアップユニットのプリント配線基板とメイン・プリント配線基板とを接続するＦＦＣの配線状態を説明するための簡略化した基板レイアウト図である。
【図６】前記従来の光ディスク装置においてローダー部に備えられる光ピックアップユニットのプリント配線基板とメイン・プリント配線基板とを接続するＦＦＣの可動ライン部を除く固定ライン部の配線状態を説明するための簡略化した基板レイアウト図である。
【図７】光ピックアップユニットのプリント配線基板およびＦＦＣの可動ライン部を横から見た状態を説明するための簡略化した構成図である。
【図８】前記従来の光ディスク装置においてＦＦＣにおける固定ライン部の折り曲げ部の折り曲げ角度が９０度に設定された場合の信号の流れを説明するためのＦＦＣにおける固定ライン部の折り曲げ部を含むＦＦＣの一部を示す図である。
【図９】９０度の折り曲げ部を有するＦＦＣに入力される信号の周波数と、ＦＦＣに入力されＦＦＣから出力される信号のゲインとの関係を示すグラフである。
【符号の説明】
【００３９】
２    メイン・プリント配線基板
３    フラットフレキシブルケーブル（ＦＦＣ）
３ａ    可動ライン部
３ｂ    固定ライン部
４    光ピックアップユニットのプリント配線基板
６，７コネクタ
Ａ    光ディスク装置
Ｒ１，Ｒ２    折り曲げ部
【図１】
2009104696.tif 000003
【図２】
2009104696.tif 000004
【図３】
2009104696.tif 000005
【図４】
2009104696.tif 000006
【図５】
2009104696.tif 000007
【図６】
2009104696.tif 000008
【図７】
2009104696.tif 000009
【図８】
2009104696.tif 000010
【図９】
2009104696.tif 000011